(57)【特許請求の範囲】
【請求項１】
親機において、相手側電話番号に対応させて呼出音の種類を登録する手段と、
子機において「親機と同一呼出音」の設定をオンまたはオフし、その選択を親機が記憶する手段と、
着信時、親機において相手側電話番号に対応した呼出音を鳴動させ、かつ子機において「親機と同一呼出音」の設定がオンされている場合、前記親機と同一呼出音を子機で鳴動させる手段と
を具備することを特徴とするコードレス電話機。
【請求項２】
子機が親機と同一呼出音で鳴動する動作は、特定の種類の呼出音で可能なことを特徴とする請求項１に記載のコードレス電話機。
【請求項３】
特定の種類の呼出音は、音声呼出しまたはメロディ、あるいはそれらの両方であることを特徴とする請求項２に記載のコードレス電話機。
【請求項４】
子機が親機と同一呼出音で鳴動する動作は、全ての呼出音を親機と同一とすることが可能なことを特徴とする請求項１に記載のコードレス電話機。
【請求項５】
子機が複数台ある場合、「親機と同一呼出音」の設定のオン、オフは、各子機毎に個別に行うことができることを特徴とする請求項１に記載のコードレス電話機。
【請求項６】
親機と同一呼出音で子機を鳴動させるために、親機からまず「同一呼出しコマンド」が子機に送信され、続いて子機に親機から同一呼出音信号が送信され、子機では、親機から「同一呼出しコマンド」を受信したら、親機からの同一呼出音信号で呼出音を鳴動させるために通話路を設定することを特徴とする請求項１に記載のコードレス電話機。
【発明の詳細な説明】
【０００１】
【発明の属する技術分野】
本発明は、親機と子機からなるコードレス電話機に係り、特に子機の呼出音の設定法に関する。
【０００２】
【従来の技術】
集積回路の技術開発および電話機技術者の鋭意研究の結果として、電話機に非常に便利な各種の機能が日増しに追加されている。その機能の一つとして、ナンバーディスプレイサービスを利用し、かけてきた相手の番号によってあらかじめ登録しておいた音声やメロディ等の呼出音をコードレス電話機の親機と子機で鳴らす機能が一般に知られている。この機能によれば、着信時、瞬時に呼出音の種類によって誰からか、または誰宛の電話か判断できる。例えば呼出音が「メロディ１」ならば友人Ａから、呼出音が「メロディ６」ならば友人Ｂから、呼出音が音声呼出しで「オトウサン、電話です」ならばお父さん宛の電話、呼出音が音声呼出しで「オネエチャン、電話です」」ならばお姉ちゃん宛の電話という具合である。
【０００３】
【発明が解決しようとする課題】
しかし、上記機能を利用する場合、従来技術では、相手の電話番号毎に音声やメロディの呼出音をコードレス電話機の親機と子機に各々登録しなければならず、非常に面倒であった。特に聞く側で混乱を防止するために、親機と子機で同一呼出音に設定する場合、同一呼出音であるにも係わらず親機と子機で各々呼出音を設定しなければならないことは、非常に煩わしい。
【０００４】
本発明は上記の点に鑑みなされたもので、子機の設定が非常に簡単になるコードレス電話機を提供することを目的とする。
【０００５】
【課題を解決するための手段】
本発明のコードレス電話機は、親機において、相手側電話番号に対応させて呼出音の種類を登録する手段と、子機において「親機と同一呼出音」の設定をオンまたはオフし、その選択を親機が記憶する手段と、着信時、親機において相手側電話番号に対応した呼出音を鳴動させ、かつ子機において「親機と同一呼出音」の設定がオンされている場合、前記親機と同一呼出音を子機で鳴動させる手段とを具備することを特徴とする。
【０００６】
このコードレス電話機において、子機が親機と同一呼出音で鳴動する動作は、特定の種類の呼出音で可能とすることができる。特定の種類の呼出音は、音声呼出しまたはメロディ、あるいはそれらの両方とすることができる。また、子機が親機と同一呼出音で鳴動する動作は、全ての呼出音を親機と同一とすることもできる。子機が複数台ある場合、「親機と同一呼出音」の設定のオン、オフは、各子機毎に個別に行うことができる。また、親機と同一呼出音で子機を鳴動させるために、親機からまず「同一呼出しコマンド」が子機に送信され、続いて子機に親機から同一呼出音信号が送信され、子機では、親機から「同一呼出しコマンド」を受信したら、親機からの同一呼出音信号で呼出音を鳴動させるために通話路を設定する。
【０００７】
【発明の実施の形態】
次に添付図面を参照して本発明によるコードレス電話機の実施の形態を詳細に説明する。図３および図４は本発明のコードレス電話機の実施の形態を示し、特に図３は親機１０のブロック図、図４は子機３０のブロック図である。
【０００８】
図３に示す親機１０は、この親機全体を制御するＣＰＵ１１を有し、このＣＰＵ１１にキー入力部１２、ＬＣＤ表示部１３、メモリ１４、電子ベル音・ビープ音・メロディ発生部１５、音声合成録音再生部２９、フックスイッチ１６が接続される。ここで、キー入力部１２は、留守キー、再生キー、ハンズフリーキー、登録キー、＊キー、テンキー等を有し、各種の情報を入力する。ＬＣＤ表示部１３は、受信した発信者の電話番号等の各種の情報を表示する。メモリ１４は、受信した発信者の電話番号等の各種の情報を記憶し、しかも電話帳としてのメモリ機能も有する。電子ベル音・ビープ音・メロディ発生部１５は、通常の呼出音である電子ベル音の信号、誤操作などのときに発せられるビープ音の信号、呼出音や保留時の曲として使用されるメロディの信号を発生させ、後述するスピーチネットワークＩＣ２１に出力する。音声合成録音再生部２９は、留守録モード時の応答メッセージ、受信した発信者からのメッセージ、「ナマエ」「オトウサン、電話です」「オネエチャン、電話です」などの音声呼出しの呼出音を録音再生し、入出力は後述するスピーチネットワークＩＣ２１に接続される。フックスイッチ１６は受話器が親機１０上に設置されているか否かを判別する。
【０００９】
１７は回線端子で、リンガ信号を検出する着信検出回路１８が接続され、この着信検出回路１８の出力がＣＰＵ１１に接続される。１９は回線端子１７の電圧極性反転が電話機内部に影響を与えないようにする整流回路、２０は回線の接続・切断を行うＤＰ送出回路、２１は２線−４線変換を行うスピーチネットワークＩＣであり、回線端子１７はこれらの回路を介してＣＰＵ１１に接続される。また、スピーチネットワークＩＣ２１には、前記電子ベル音・ビープ音・メロディ発生部１５の出力部、前記音声合成録音再生部２９の入出力部に加えて、受話器２２、マイク２３、スピーカ（拡声スピーカを含む）２４、コーラーＩＤＩＣ２５が接続されており、コーラーＩＤＩＣ２５の出力はＣＰＵ１１に接続される。コーラーＩＤＩＣ２５は、受信した発信者の電話番号を判別する回路である。さらに、スピーチネットワークＩＣ２１およびＣＰＵ１１は、子機と無線通信を行うためにコンパンダＩＣ２６を介してＲＦモジュール２７に接続されており、ＲＦモジュール２７にはアンテナ２８が接続される。
【００１０】
図４に示す子機３０は、この子機全体を制御するＣＰＵ３１を有し、このＣＰＵ３１には、親機１０と無線通信を行うためにＲＦモジュール３３がコンパンダＩＣ３４を介して接続されており、ＲＦモジュール３３にはアンテナ３２が接続される。また、コンパンダＩＣ３４は、音声出力部が増幅器３５を介してスピーカ３６に接続されるとともに、マイク３７が音声入力部に接続される。また、ＣＰＵ３１には、親機１０と同様に、情報を入力するキー入力部３８、情報を表示するＬＣＤ表示部３９、各種情報を記憶し電話帳としても機能するメモリ４０が接続される。さらに、ＣＰＵ３１とコンパンダＩＣ３４間には、電子ベル音等の信号を発生させる電子ベル音・ビープ音・メロディ発生部４１が接続される。
【００１１】
上記のように構成された親機１０においては、メモリ１４の電話帳に相手側の名前、電話番号とともに、その相手側から着信があったときの呼出音の種類を登録できる。呼出音としては、下記１〜１７を登録できる。
１：通常の電子ベル音
２〜９：メロディ
１０：自作メロディ（キー入力部１２で入力できる）
１１：名前呼出し（電話帳に登録した名前で呼出す）
１２：オトウサン（お父さん宛の電話：着信時に「オトウサン、電話です」を発声）
１３：オカアサン（お母さん宛の電話：着信時に「オカアサン、電話です」を発声）
１４：オニイチャン（お兄ちゃん宛の電話：着信時に「オニイチャン、電話です」を発声）
１５：オネエチャン（お姉ちゃん宛の電話：着信時に「オネエチャン、電話です」を発声）
１６：オジイチャン（おじいちゃん宛の電話：着信時に「オジイチャン、電話です」を発声）
１７：オバアチャン（おばあちゃん宛の電話：着信時に「オバアチャン、電話です」を発声）
したがって、親機１０は、着信時、ナンバーディスプレイサービスにより相手側の電話番号が判明すると、その電話番号が電話帳に登録されている場合、電話番号に対応した呼出音で鳴動する。
【００１２】
一方、上記子機３０においては、「親機と同一呼出音」の設定をオンすると、メモリ４０の電話帳に登録がなくても、親機１０が上記１１〜１７の音声呼出しを登録している場合に、着信時、親機１０と同一呼出音（音声呼出し）で鳴動する。これらの動作を以下詳述する。
【００１３】
まず親機１０の電話帳に相手側の名前、電話番号および呼出音を登録する動作を図５を参照して説明する。図５は、ＬＣＤ表示部１３の画面表示例を示す。電話帳登録の場合は、まず待機状態の親機１０のキー入力部１２を操作して、親機１０を電話帳登録モードとする。すると、ＬＣＤ表示部１３の画面は、画面Ｇ１の待機画面から画面Ｇ２に切り替わって「ナマエ？」が表示され、相手側の名前を入力可能になる。そこで、キー入力部１２の文字キーを使用して、画面Ｇ３に示すように相手側の名前、例えば「ケンウッド」を入力する。次に、キー入力部１２の機能キーを操作すると、ＬＣＤ表示部１３の画面は画面Ｇ４になって「バンゴウ１？」が表示され、第１番目の電話番号が入力可能となる。そこで、キー入力部１２の数字キーを使用して画面Ｇ５で示すように第１番目の電話番号、例えば「０１２３４５６７」を入力する。次に、機能キーを再度操作すると、ＬＣＤ表示部１３の画面は画面Ｇ６となって「バンゴウ２？」が表示され、第２番目の電話番号が入力可能となる。そこで、キー入力部１２の数字キーを使用して画面Ｇ７で示すように第２番目の電話番号、例えば「０９８７６５４」を入力する。このように、一人の相手側に対して電話番号は２つ入力できる。
【００１４】
その後、キー入力部１２の電話帳キーを操作すると、ＬＣＤ表示部１３の画面は画面Ｇ８となり、「ヨビダシオンキノウ：センタク」が表示され、呼出音の選択モードとなる。その状態で、キー入力部１２のアップキー、ダウンキーを操作して、上記１〜１７までのいずれかの呼出音を選択する。このとき、１〜１７までの呼出音を切り替えるごとにその呼出音が確認のために鳴動する。その後は、機能キーを操作することにより、ＬＣＤ表示部１３の画面は画面Ｇ９となり、登録した相手側の名前と電話番号が表示され、同時に動作確認音が鳴動し、所定時間後に画面Ｇ１の待機状態に戻る。以上のようにして電話帳に一例として１００件、相手側の名前と電話番号さらには呼出音を登録できる。
【００１５】
次に、子機３０において「親機と同一呼出音」の設定をオン、オフする動作について図６（図５と同様にＬＣＤ表示部３９の画面表示例である）を参照して説明する。この場合は、まずキー入力部３８の機能キーを操作して、子機３０を待機状態からメニューモードに切り替える。すると、ＬＣＤ表示部３９の画面は、画面Ｇ１１の待機表示から画面Ｇ１２のメニュー表示（画面Ｇ１２はメニュー表示の一部である）となり、「１：用件再生」「２：用件全消去」「３：初期設定」が表示される。ここで、キー入力部３８の数字キーを使用して「３：初期設定」を選択する。すると、ＬＣＤ表示部３９の画面は画面Ｇ１３，Ｇ１４の初期設定メニュー表示（画面Ｇ１３，Ｇ１４は初期設定メニュー表示の一部であり、画面Ｇ１３，Ｇ１４間はアップダウンキーで切替えまたはスクロールされる）となり、「１：暗唱番号」「２：自動留守」などとともに「６：僕もコール」が表示される。ここで、「６：僕もコール」が「親機と同一呼出音」を意味するもので、そこで次に数字キーを用いて「６：僕もコール」を選択する。
【００１６】
すると、ＬＣＤ表示部３９の画面は画面Ｇ１５となって「１：ＯＮ、２：ＯＦＦ」が表示され、「僕もコール」を設定（オン）するか、設定しないか（オフ）するか聞いてくる。ここで、数字キーの「０」を操作すれば「僕もコール」がオフされ、数字キーの「１」を操作すれば「僕もコール」がオンされる。そこで、数字キーの「１」を操作して「１：ＯＮ」を選択し、「僕もコール」（親機と同一呼出音）を設定する。その後は機能キーを操作すると、ＬＣＤ表示部３９の画面は画面Ｇ１６となって「僕もコール設定しました」と表示され、同時に動作確認音が鳴動し、所定時間後に画面Ｇ１１の待機状態に戻る。
【００１７】
このようにして子機３０において「親機と同一呼出音」を設定すると、その旨の信号が子機３０から親機１０に送信され、親機１０のメモリ１４に記憶される。したがって、以後、着信時、親機１０が相手側電話番号に応じた呼出音で鳴動すると、親機１０から子機３０に同一呼出音信号が送信され、子機３０に電話番号や呼出音の登録がなくても、子機３０が親機１０と同一の呼出音で鳴動する。ただし、この例では、親機１０が前記１１〜１７の音声呼出しで鳴動する場合に子機３０が同一音声呼出しで鳴動する。その他の場合は、「親機と同一呼出音」に設定されていても、子機３０独自の呼出音での鳴動となる。また、同一呼出音とするために、親機１０は、まず「同一呼出しコマンド」を子機３０に送信し、続いて子機３０に、親機１０の音声合成録音再生部２９で作成された音声呼出し呼出音信号を送信する。一方、子機３０は、親機１０から「同一呼出しコマンド」を受信すると、親機１０からの音声呼出し呼出音信号で呼出音を鳴動させるために通話路を設定する。
【００１８】
なお、子機３０が複数台ある場合は、各子機毎に「親機と同一呼出音」の設定をオン、オフできる。例えば寝室の子機は親機と同一呼出音、子供部屋の子機は親機と別の呼出音という具合である。
【００１９】
以下、上記のような着信時の呼出音に関する動作を図１のフローチャートを参照して詳細に説明する。以下の説明では子機は複数台ある。まずステップＳ１で親機１０に着信があると、親機１０においては、ナンバーディスプレイサービスで得られた相手側電話番号が自機の電話帳に登録されているかステップＳ２で一致検索を行う。そして、ステップＳ３で、登録がなく一致しないと判断されたときは、ステップＳ４に移って親機１０および子機３０とも通常の電子ベル音（図１では単に「通常」と記す）の呼出音設定を行い、ステップＳ５でそれら呼出音を鳴動させる。尚、子機の呼出音「通常」の場合、子機に於いて親機から子機に送信した相手番号データを子機のメモリに登録されている電話番号と比較し、一致した場合には対応した呼出音を自ら鳴動させる。
【００２０】
一方、ステップＳ３で、登録があり一致したと判断されたときは、ステップＳ６に移って、その電話番号に対応して登録された呼出音が音声呼出しか判断される。そして、もしステップＳ６で音声呼出しでないと判断されたときは、ステップＳ７に移って、親機１０は音声呼出し以外の登録された呼出音、子機３０は通常の電子ベル音に呼出音設定を行い、ステップＳ５でそれら呼出音を鳴動させる。
【００２１】
一方、ステップＳ６で、登録された呼出音が音声呼出しであると判断されたときは、ステップＳ８に移って、「親機と同一呼出音」に設定されている子機    があるか判断され、もし設定されている子機３０がないと判断されたときは、ステップＳ９に移って、親機１０は音声呼出し、子機３０は通常の電子ベル音の呼出音設定を行い、ステップＳ５でそれら呼出音を鳴動させる。
【００２２】
一方、ステップＳ８で「親機と同一呼出音」に設定されている子機３０があると判断されたときは、ステップＳ１０に移って親機１０は音声呼出し、設定されている子機３０は親機１０と同一音声呼出し、設定されていないその他の子機３０は通常の電子ベル音に呼出音設定を行い、ステップＳ５でそれら呼出音を鳴動させる。
【００２３】
以上は、親機１０に呼出音が音声呼出しで登録された場合に、子機３０も同一呼出音とし得るものであるが、音声呼出しだけでなく、呼出音としてメロディが登録された場合、あるいはビープ音等も含むすべての呼出音で子機３０の呼出音を親機１０と同一にすることができる。その場合も、親機１０は、子機３０が「親機と同一呼出音」に設定されたことを記憶し、それに基づき着信時、親機１０からまず「同一呼出しコマンド」を子機３０に送信し、続いて子機３０に、親機１０から同一呼出音信号を送信する。一方、子機３０は、親機１０から「同一呼出しコマンド」を受信したら、親機１０からの同一呼出音信号で同一呼出音を鳴動させるために通話路を設定する。
【００２４】
図２は、同一呼出しをすべての呼出音に拡大させた場合の着信時の親機１０と子機３０の呼出音に関する動作を詳細に示すフローチャートであり、以下この動作を説明する。まずステップＳ２１で親機１０に着信があると、親機１０においては、ナンバーディスプレイサービスで得られた相手側電話番号が自機の電話帳に登録されているかステップＳ２２で一致検索を行う。そして、ステップＳ２３で、登録がなく一致しないと判断されたときは、ステップＳ２４に移って親機１０および子機３０とも通常の電子ベル音（図２では単に「通常」と記す）の呼出音設定を行い、ステップＳ２５でそれら呼出音を鳴動させる。
【００２５】
一方、ステップＳ２３で、登録があり一致したと判断されたときは、ステップＳ２６に移って、その電話番号に対応して登録された呼出音が音声呼出しか判断される。そして、もしステップＳ２６で音声呼出しでないと判断されたときは、ステップＳ２７に移って、親機１０を音声呼出し以外の登録された呼出音に設定する。その後、ステップＳ２８に移って、「親機と同一呼出音」に設定されている子機３０があるか判断され、もし設定されている子機３０がないと判断されたときは、ステップＳ２９に移って子機３０の呼出音を通常の電子ベル音に設定をし、その後、ステップＳ２５に移って、ステップＳ２７とステップＳ２９で設定された各呼出音で親機１０と子機３０を鳴動させる。
【００２６】
一方、ステップＳ２８で「親機と同一呼出音」に設定されている子機３０があると判断されたときは、ステップＳ３０に移って、設定されている子機３０は親機１０と同一呼出音（ただし、音声呼出し以外）、設定されていないその他の子機３０は通常の電子ベル音に呼出音設定を行い、その後、ステップＳ２５に移って、ステップＳ２７とステップＳ３０で設定された各呼出音で親機１０と子機３０を鳴動させる。
【００２７】
一方、ステップＳ２６で、登録された呼出音が音声呼出しであると判断されたときは、ステップＳ３１に移って親機１０を登録された音声呼出しに設定する。さらに、ステップＳ３２に移って「親機と同一呼出音」に設定されている子機３０があるか判断され、設定された子機３０がないと判断されたときは、ステップＳ３３に移って子機３０の呼出音を通常の電子ベル音に設定し、その後、ステップＳ２５に移って、ステップＳ３１とステップＳ３３で設定された各呼出音で親機１０と子機３０を鳴動させる。
【００２８】
一方、ステップＳ３２で「親機と同一呼出音」に設定されている子機３０があると判断されたときは、ステップＳ３４に移って、設定されている子機３０は親機１０と同一音声呼出し、設定されていないその他の子機３０は通常の電子ベル音に呼出音設定を行い、その後ステップＳ２５に移って、ステップＳ３１とステップＳ３４で設定された各呼出音で親機１０と子機３０を鳴動させる。
尚、子機側で「親機と同一呼出音」に設定された場合は、親機からの音声を拡声する通話路を設定することもできるし、親機側からはピープ音やメロディ発生部で作成した呼出音を親機で拡声し同時に子機へ送信することは言うまでもない。
【００２９】
【発明の効果】
以上詳細に説明したように本発明のコードレス電話機によれば、親機で呼出音を登録しておけば、子機では「親機と同一呼出音」の設定をオンするだけで、いちいち電話番号や呼出音を登録することなく、相手の電話番号毎に親機と同一の呼出音とし得る。したがって、子機での設定が極めて簡単になり、使い勝手が向上する。また、上記のように親機の登録を利用すれば、その親機の登録件数＋子機の電話帳の登録件数が子機の見掛け上の登録件数となるので、子機の呼出音の登録件数を増大させることができる。
【図面の簡単な説明】
【図１】本発明によるコードレス電話機の実施の形態の第１の動作を説明するためのフローチャート。
【図２】本発明によるコードレス電話機の実施の形態の第２の動作を説明するためのフローチャート。
【図３】本発明によるコードレス電話機の実施の形態を示し、特に親機の構成を示す回路図。
【図４】本発明によるコードレス電話機の実施の形態を示し、特に子機の構成を示す回路図。
【図５】図３の親機における電話帳登録を説明するための図。
【図６】図４の子機において「親機と同一呼出音」を設定する動作を説明するための図。
【符号の説明】
１０  親機
３０  子機
１１、３１  ＣＰＵ
１４、４０  メモリ
１５、４１  電子ベル音・ビープ音・メロディ発生部
２９  音声合成録音再生部
【図１】
0003665505.tif 000002
【図２】
0003665505.tif 000003
【図３】
0003665505.tif 000004
【図４】
0003665505.tif 000005
【図５】
0003665505.tif 000006
【図６】
0003665505.tif 000007